(57)【特許請求の範囲】
【請求項１】
センタ側光回線終端装置と光伝送路で接続され、外部ノードとは信号線で接続されて終端処理を行う加入者宅側光回線終端装置であって、
前記センタ側光回線終端装置に接続されて主信号の光電気変換及び逆光電気変換を行う電気／光変換部と、
前記電気／光変換部に接続されて前記主信号の終端処理を行う光回線終端装置機能部と、
前記光回線終端装置機能部に接続されて前記主信号のシリアル・パラレル変換及び逆シリアル・パラレル変換を行うシリアル／パラレル変換部と、
前記シリアル／パラレル変換部に接続されて前記外部ノードとの間で前記主信号の入出力を行う主信号ＩＦ（インタフェース）部と、所定のシリアル信号を入出力する第１のシリアルＩＦ部と、電力供給を行うための給電線および接地線に接続される給電ＩＦ部とを有するインタフェースモジュールと、を備え、
前記接地線に所定の電圧が印加されると、前記光回線終端装置機能部に設けられた第１のシリアル信号端と前記第１のシリアルＩＦ部とが電気的に接続され、それ以外のときは前記第１のシリアル信号端と前記第１のシリアルＩＦ部とが電気的に遮断されている
ことを特徴とする加入者宅側光回線終端装置。
【請求項２】
前記接地線に所定の電圧が印加されたときに前記第１のシリアル信号端と前記第１のシリアルＩＦ部との間を電気的に接続する切替手段をさらに備える
ことを特徴とする請求項１に記載の加入者宅側光回線終端装置。
【請求項３】
前記切替手段は、前記接地線に所定の電圧が印加されているときに前記第１のシリアルＩＦ部と前記第１のシリアル信号端とを電気的に接続し、それ以外のときは前記第１のシリアルＩＦ部と前記第１のシリアル信号端との間を電気的に遮断するスイッチ回路である
ことを特徴とする請求項２に記載の加入者宅側光回線終端装置。
【請求項４】
前記スイッチ回路は、前記接地線に電圧が印加されていないときは、前記第１のシリアルＩＦ部と前記電気／光変換部に設けられた第２のシリアル信号端とを電気的に接続する
ことを特徴とする請求項３に記載の加入者宅側光回線終端装置。
【請求項５】
前記インタフェースモジュールは、第２のシリアルＩＦ部をさらに有し、
前記第２のシリアルＩＦ部は前記電気／光変換部に設けられた第２のシリアル信号端に接続される
ことを特徴とする請求項３に記載の加入者宅側光回線終端装置。
【請求項６】
前記第１のシリアル信号端および前記電気／光変換部に設けられた第２のシリアル信号端が前記第１のシリアルＩＦ部にバス接続され、
前記切替手段は、前記接地線に所定の電圧が印加されていると判定すると、前記第１のシリアルＩＦ部から前記第１のシリアル信号端を介して前記光回線終端装置機能部へのアクセスを許可する
ことを特徴とする請求項２に記載の加入者宅側光回線終端装置。
【請求項７】
前記第１のシリアル信号端と前記第１のシリアルＩＦ部との間がＩ2Ｃで接続される
ことを特徴とする請求項１乃至６のいずれか１項に記載の加入者宅側光回線終端装置。
【請求項８】
前記第２のシリアル信号端と前記第１のシリアルＩＦ部との間がＩ2Ｃで接続される
ことを特徴とする請求項４または６に記載の加入者宅側光回線終端装置。
【発明の詳細な説明】
【技術分野】
【０００１】
本発明は、ＰＯＮ型の光伝送システムにおいて加入者宅に設置される加入者宅側光回線終端装置に関する。
【背景技術】
【０００２】
ＦＴＴＨ、ＣＡＴＶ等の光ネットワークでは、下記の特許文献１に記載されているように、センタに接続される光伝送路を受動型スプリッタにより分岐して複数の加入者宅まで光伝送路を敷設するＰＯＮ(Passive Optical Network)型の光伝送システムが使用されている。このような光伝送システムは、ＰＤＳ(Passive Double Star)とも呼ばれる。
【０００３】
ＰＯＮ型の光伝送システムでは、図６に示すように、センタの光回線終端装置（ＯＬＴ：Optical Line Termination）９０１が光ファイバ９０２を介してスプリッタ９０３の合波端に接続され、スプリッタ９０３の複数の分波端には光ファイバ９０４−１、…９０４−ｎを介して各加入者宅に設置された光回線終端装置（ＯＮＵ：Optical Network Unit）９０５−１、…９０５−ｎが接続される。
【０００４】
ＯＮＵ９０５−１、…９０５−ｎの構成を図7に示す。同図は、一例としてＯＮＵ９０５−１の構成を示しており、ＯＮＵ９０５−１は、光トランシーバ部９０６、ＯＮＵ機能部９０７、及びイーサネット（登録商標）インタフェース９０８を備える構成となっている。スプリッタ９０３に接続された光ファイバ９０４−１が、各加入者宅に設けられた光成端ユニット９０９を介して光トランシーバ部９０６に接続されている。
【０００５】
イーサネット（登録商標）インタフェース９０８として、１０／１００／１０００ＢＡＳＥ−ＴＸ等を用いることができ、これに例えばＬＡＮケーブル９１０が接続される。ＬＡＮケーブル９１０には、コンピュータやプリンタ等の端末機器９１４を直接接続することができ、またルータ９１２やスイッチングハブ９１３等のスイッチを接続し、これに別の端末機器９１４を接続することもできる。
【特許文献１】特開平９−２１４５４１号公報
【発明の開示】
【発明が解決しようとする課題】
【０００６】
ＰＯＮ型の光伝送システムにおいて通信異常等があった場合、現状ではＯＮＵの動作情報の全てを読み出す手段が設けられていないため、ＯＮＵ内部のどこで不具合が発生しているかを容易に知ることができなかった。また、ＯＮＵの製造時や保守時等においても、ＯＮＵの動作情報を読み出す手段が無いために、ＯＮＵの評価試験等に多大の時間を要するといった問題があった。
さらには、ＯＮＵの小型化が進んでおり、製造時や保守時等におけるＯＮＵの動作情報を読み出す手段を実装するスペースも問題となっていた。
【０００７】
そこで、本発明はこのような問題を解決するためになされたものであり、シリアルインタフェースを用いて動作情報の読み出しおよび設定が可能な加入者宅側光回線終端装置を提供することを目的とする。
【課題を解決するための手段】
【０００８】
本発明の加入者宅側光回線終端装置の第１の態様は、センタ側光回線終端装置と光伝送路で接続され、外部ノードとは信号線で接続されて終端処理を行う加入者宅側光回線終端装置であって、前記センタ側光回線終端装置に接続されて主信号の光電気変換及び逆光電気変換を行う電気／光変換部と、前記電気／光変換部に接続されて前記主信号の終端処理を行う光回線終端装置機能部と、前記光回線終端装置機能部に接続されて前記主信号のシリアル・パラレル変換及び逆シリアル・パラレル変換を行うシリアル／パラレル変換部と、前記シリアル／パラレル変換部に接続されて前記外部ノードとの間で前記主信号の入出力を行う主信号ＩＦ（インタフェース）部と、所定のシリアル信号を入出力する第１のシリアルＩＦ部と、電力供給を行うための給電線および接地線に接続される給電ＩＦ部とを有するインタフェースモジュールと、を備え、前記接地線に所定の電圧が印加されると、前記光回線終端装置機能部に設けられた第１のシリアル信号端と前記第１のシリアルＩＦ部とが電気的に接続され、それ以外のときは前記第１のシリアル信号端と前記第１のシリアルＩＦ部とが電気的に遮断されていることを特徴とする。
【０００９】
本発明の加入者宅側光回線終端装置の他の態様は、前記接地線に所定の電圧が印加されたときに前記第１のシリアル信号端と前記第１のシリアルＩＦ部との間を電気的に接続する切替手段をさらに備えることを特徴とする。
【００１０】
本発明の加入者宅側光回線終端装置の他の態様は、前記切替手段は、前記接地線に所定の電圧が印加されているときに前記第１のシリアルＩＦ部と前記第１のシリアル信号端とを電気的に接続し、それ以外のときは前記第１のシリアルＩＦ部と前記第１のシリアル信号端との間を電気的に遮断するスイッチ回路であることを特徴とする。
【００１１】
本発明の加入者宅側光回線終端装置の他の態様は、前記スイッチ回路は、前記接地線に電圧が印加されていないときは、前記第１のシリアルＩＦ部と前記電気／光変換部に設けられた第２のシリアル信号端とを電気的に接続することを特徴とする。
【００１２】
本発明の加入者宅側光回線終端装置の他の態様は、前記インタフェースモジュールは、第２のシリアルＩＦ部をさらに有し、前記第２のシリアルＩＦ部は前記電気／光変換部に設けられた第２のシリアル信号端に接続されることを特徴とする。
【００１３】
本発明の加入者宅側光回線終端装置の他の態様は、前記第１のシリアル信号端および前記電気／光変換部に設けられた第２のシリアル信号端が前記第１のシリアルＩＦ部にバス接続され、前記切替手段は、前記接地線に所定の電圧が印加されていると判定すると、前記第１のシリアルＩＦ部から前記第１のシリアル信号端を介して前記光回線終端装置機能部へのアクセスを許可することを特徴とする。
【００１４】
本発明の加入者宅側光回線終端装置の他の態様は、前記第１のシリアル信号端と前記第１のシリアルＩＦ部との間がＩ2Ｃで接続されることを特徴とする。
【００１５】
本発明の加入者宅側光回線終端装置の他の態様は、前記第２のシリアル信号端と前記第１のシリアルＩＦ部との間がＩ2Ｃで接続されることを特徴とする。
【発明の効果】
【００１７】
本発明によれば、シリアルインタフェースを切替えて使用可能とすることにより、動作情報の読み出しおよび設定が可能な加入者宅側光回線終端装置を提供することが可能となる。
【発明を実施するための最良の形態】
【００１８】
（第１の実施形態）
図面を参照して本発明の好ましい実施の形態における加入者宅側光回線終端装置の構成について詳細に説明する。本発明の第１の実施の形態に係る加入者宅側光回線終端装置（ＯＮＵ）の構成を示すブロック図を図１に示す。また、図１に示す本実施形態のＯＮＵ１００を用いて構成されたＰＯＮ型光伝送システムの一例を図２に示す。
【００１９】
図２のＰＯＮ型光伝送システム１において、センタに設けられるＰＯＮインタフェースカード１０は、光回線終端装置（ＯＬＴ）１１と認証機能部１２とを有しており、ＯＬＴ１１の光入出力端に光伝送路である光ファイバ２０の一端が接続されている。また、光カプラ（光合分波部）３０は、１つの合波端と２つ以上の分波端とを有しており、合波端にはＯＬＴ１１に接続された光ファイバ２０の他端が接続されている。
【００２０】
光カプラ３０の分波端には、複数の光ファイバ４０−１、…、４０−ｎ（ｎ：自然数、以下では４０−１〜ｎと記す）のそれぞれの一端が接続され、それぞれの他端にはＯＮＵ５０−１〜ｎが接続されている。このような構成により、ＯＬＴ１１からの下り信号が光カプラ３０で分波されてＯＮＵ５０−１〜ｎのそれぞれに伝送される一方、ＯＮＵ５０−１〜ｎのそれぞれから伝送される光信号が光カプラ３０で合波されてＯＬＴ１１に伝送される。
【００２１】
ＯＮＵ５０−１〜ｎは、それぞれが加入者宅毎に設置され、これにパーソナルコンピュータやスイッチ等の外部ノード７０が接続される。図２では、外部ノード７０をスイッチとしており、スイッチに備えられた複数のポート７０ａには複数の端末機器８０が接続されている。外部ノード７０に用いられるスイッチには、Ｌ２スイッチ、Ｌ３スイッチ、ルータ等がある。このような構成により、ＯＮＵ１００を介してセンタのＯＬＴ１１に複数の端末機器８０を接続することができる。
【００２２】
ＯＬＴ１１及びＯＮＵ５０−１〜ｎには、ＧＰＯＮ(Gigabit Passive Optical Networkの略称であり、ＩＴＵ規格G.984.xに準拠した方式)、ＧＥＰＯＮ(Gigabit Ethernet（登録商標） PONの略であり、ＩＥＥＥ８０２．３ａｈ規格に準拠した方式)の規定に適合した装置が使用される。
【００２３】
本実施形態のＯＮＵ１００は、図２に示したＯＮＵ５０−１〜ｎに用いることができる。以下では、一例としてＯＮＵ５０−１にＯＮＵ１００が用いられているものとする。本実施形態のＯＮＵ１００は、図１に示すように、電気／光変換部（ＴＲｘ）１１０と光回線終端装置機能部（以下ではＯＮＵ機能部と記す）１２０とシリアル／パラレル変換部（ＳＥＲＤＥＳ）１３０とインタフェースモジュール１４０とを備えている。
【００２４】
主信号を伝送する信号線として、電気／光変換部１１０とＯＮＵ機能部１２０との間は、シリアルな電気信号を伝送する第１のシリアル伝送路１５０ａ（下り信号線）、１５０ｂ（上り信号線）で接続されている。また、ＯＮＵ機能部１２０とシリアル／パラレル変換部１３０との間は、パラレルな電気信号を伝送するパラレル伝送路１５１ａ（下り信号線）、１５１ｂ（上り信号線）で接続されている。パラレル伝送路１５１ａ、１５１ｂを伝送するパラレル信号は、例えば１０ビットの信号とすることができる。さらに、シリアル／パラレル変換部１３０とインタフェースモジュール１４０との間は、シリアルな電気信号を伝送する第２のシリアル伝送路１５２ａ（下り信号線）、１５２ｂ（上り信号線）で接続されている。
【００２５】
電気／光変換部１１０は、センタ側のＯＬＴ１１との間で光ファイバ４０を介して光信号を送受信するための光入出力端を有しており、センタのＯＬＴ１１から送信された主信号の光信号（下り信号）を電気信号に変換（光電気変換）している。この電気信号は、下り信号線である第１のシリアル伝送路１５０ａを介してＯＮＵ機能部１２０に出力される。また、電気／光変換部１１０は、ＯＮＵ機能部１２０から上り信号線である第１のシリアル伝送路１５０ｂを介して入力した主信号の電気信号を光信号に変換（逆光電気変換）している。この光信号は、光ファイバ４０を介してＯＬＴ１１に送信される。
【００２６】
ＯＮＵ機能部１２０は、電気／光変換部１１０から入力したシリアル信号をパラレル信号に変換し、所定の終端処理を行った後にこの信号を下り信号線であるパラレル伝送路１５１ａを介してシリアル／パラレル変換部１３０に出力している。また、ＯＮＵ機能部１２０は、シリアル／パラレル変換部１３０から上り信号線であるパラレル伝送路１５１ｂを介して入力したパラレル信号を、所定の終端処理を行った後にシリアル信号に変換して電気／光変換部１１０に出力している。
【００２７】
シリアル／パラレル変換部１３０は、図示しないシリアル／パラレル変換手段と逆シリアル／パラレル変換手段を備え、ＯＮＵ機能部１２０から入力したパラレル信号を逆シリアル／パラレル変換手段でシリアル信号に変換し、これを下り信号線である第２のシリアル伝送路１５２ａを介してインタフェースモジュール１４０に出力している。また、シリアル／パラレル変換部１３０は、インタフェースモジュール１４０から第２のシリアル伝送路１５２ｂを介して入力したシリアル信号をシリアル／パラレル変換手段でパラレル信号に変換してＯＮＵ機能部１２０に出力している。
【００２８】
インタフェースモジュール１４０は、外部ノード７０とシリアルな電気信号で接続するものである。本実施形態のＯＮＵ１００では、インタフェースモジュール１４０をＭＳＡ（Multi-Source Agreement）インタフェースの規格に対応させており、外部ノード７０に設けられたＭＳＡインタフェーススロット（図示せず）に直接接続することが可能な構成としている。ＭＳＡインタフェースの規格として、ＧＢＩＣ、ＳＦＰ等がある。
【００２９】
インタフェースモジュール１４０は、主信号ＩＦ部１４１と、第１のシリアルＩＦ部１４２と、第２のシリアルＩＦ部１４３と、給電ＩＦ部１４４とを備えている。シリアル／パラレル変換部１３０に接続されて外部ノード７０との間で入出力する主信号を伝送するための第２のシリアル伝送路１５２ａ、１５２ｂは、主信号ＩＦ部１４１に接続されている。
【００３０】
また、ＯＮＵ機能部１２０および電気／光変換部１１０は、それぞれ第１のシリアル信号端１２１及び第２のシリアル信号端１１１を備えており、それぞれが第１のシリアルＩＦ部１４２および第２のシリアルＩＦ部１４３に接続されている。第２のシリアル信号端１１１と第２のシリアルＩＦ部１４３との間の信号線１６１ａ、１６１ｂは、Ｉ２Ｃで構成されている。Ｉ２Ｃ（Ｉｎｔｅｒ  Ｉｎｔｅｇｒａｔｅｄ  Ｃｉｒｃｕｉｔ）信号線は、シリアルデータ伝送用の信号線１６１ａとクロック伝送用の信号線１６１ｂの２本の信号線で構成されている。
【００３１】
給電ＩＦ部１４４には、給電線１６２ａと接地線１６２ｂが接続されている。インタフェースモジュール１４０が外部ノード７０に接続されたとき、接地線１６２ｂが接地されるとともに、給電線１６２ａを経由して外部ノード７０からＯＮＵ１００に給電される。
【００３２】
本実施形態のＯＮＵ１００では、ＯＮＵ機能部１２０の第１のシリアル信号端１２１にも信号線１６０ａ、１６０ｂが接続されており、これらの信号線の他端は第１のシリアルＩＦ部１４２に接続されている。また、信号線１６０ａ、１６０ｂの途中にスイッチ回路１７０ａ、１７０ｂが設けられている。スイッチ回路１７０ａ、１７０ｂとして、ここでは、リレーやスイッチ、ダイオードが用いられている。信号線１６０ａ、１６０ｂとして、信号線１６１ａ、１６１ｂと同様にＩ２Ｃ信号線を用いることができる。あるいは、ＯＮＵ機能部１２０のＧＰＩＯ端子（図示せず）に接続されたＧＰＩＯ信号線を用いてもよい。
【００３３】
スイッチ回路１７０ａ、１７０ｂは、制御用信号を入力するために接地線１６２ｂを分岐して接続しており、接地線１６２ｂに印加されている電圧を制御用信号として、信号線１６０ａ、１６０ｂを通電または遮断するように制御している。すなわち、接地線１６２ｂが接地されている場合にはスイッチ回路１７０ａ、１７０ｂが遮断状態となって信号線１６０ａ、１６０ｂが遮断される。これに対し、接地線１６２ｂに所定の電圧が印加されている場合には、スイッチ回路１７０ａ、１７０ｂが通電状態となって信号線１６０ａ、１６０ｂが通電可能となる。
【００３４】
ＯＮＵ１００の通常の運用においては、ＯＮＵ１００が外部ノード７０のＭＳＡインタフェーススロットに接続され、このとき接地線１６２ｂが外部ノード７０を介して接地される。その結果、スイッチ回路１７０ａ、１７０ｂが遮断状態となって信号線１６０ａ、１６０ｂが遮断される。従って、ＯＮＵ１００が外部ノード７０に接続されているときには、ＯＮＵ機能部１２０の第１のシリアル信号端１２１と第１のシリアルＩＦ部１４２との間で信号を送受信させることはできない。
【００３５】
これに対し、ＯＮＵ１００の製造時や保守時などに用いられる試験用機器は、ＯＮＵ１００を接続したときに接地線１６２ｂに所定の電圧を印加するように構成することができる。このように構成された試験用機器にＯＮＵ１００を接続した状態を図３に示す。ここで、信号線１６０ａ、１６０ｂは、信号線１６１ａ、１６１ｂと同様にＩ２Ｃ信号線としており、信号線１６０ａをシリアルデータ伝送用の信号線、信号線１６０ｂをクロック伝送用の信号線としている。
【００３６】
なお、信号線１６０ａ、１６０ｂは、試験用機器が接続されたときだけ使用される信号線、あるいは通常の運用時は別の目的で使用されている信号線、のいずれであってもよい。図１および図３（ａ）に示すＯＮＵ１００では、信号線１６０ａ、１６０ｂを、試験用機器が接続されたときだけ使用される信号線としている。これに対し、図３（ｂ）に示すＯＮＵ１００’では、信号線１６０ａ’、１６０ｂ’は通常の運用時には、所定の処理部１９０と電気的に接続され、別の目的で使用するのに用いられている。
【００３７】
一例として、通常の運用時に所定の処理部１９０から第１のシリアルＩＦ部１４２へレートコントロール信号やＬＯＳ（Loss of Signal）信号等を、例えば、ＧＰＩＯ信号により伝送するものであってよい。ＯＮＵ１００’が試験用機器１８０に接続されると、信号線１６０ａ’、１６０ｂ’は、スイッチ回路１７０ａ’、１７０ｂ’により、ＯＮＵ機能部１２０と第１のシリアルＩＦ部１４２との接続に切替えられる。
また、処理部１９０の機能は、ＯＮＵ機能部１２０やシリアル／パラレル変換部１３０で実現することもできる。
【００３８】
図３（ａ）に示す試験用機器１８０は、加電圧部１８１とシリアル信号入出力部１８２とを備えている。試験用機器１８０にＯＮＵ１００が接続されると、給電ＩＦ部１４４を介して接地線１６２ｂが加電圧部１８１に接続されて所定の電圧が印加されるとともに、信号線１６０ａがシリアル信号入出力部１８２に接続される。このとき、スイッチ回路１７０ａ、１７０ｂは、接地線１６２ｂが所定の電圧を印加されていることを検知して通電状態に切り替えられる。その結果、シリアル信号入出力部１８２は、信号線１６０ａを介してＯＮＵ機能部１２０にアクセス可能となり、ＯＮＵ機能部１２０の動作情報を入力したり、所定の設定値を出力してＯＮＵ機能部１２０を設定することが可能となる。図３（ｂ）に示すＯＮＵ１００’を試験用機器１８０に接続したときも同様の切替が行われる。
【００３９】
上記説明のように、本実施形態のＯＮＵ１００では、ＯＮＵ機能部１２０の第１のシリアル信号端１２１とインタフェースモジュール１４０との間に信号線１６０ａ、１６０ｂとスイッチ回路１７０ａ、１７０ｂを設け、外部ノード７０に接続されたときはスイッチ回路１７０ａ、１７０ｂを遮断して第１のシリアルＩＦ部１４２からＯＮＵ機能部１２０にアクセスできないようにする一方、試験用機器１８０に接続されたときにはスイッチ回路１７０ａ、１７０ｂを通電状態にしてＯＮＵ機能部１２０にアクセスできるようにしている。これにより、通常運用時のセキュリティが高められるとともに、ＯＮＵ１００の製造時や保守時などでは、ＯＮＵ１００の動作情報の読み出しおよび設定を行うことが可能となる。
【００４０】
本発明の第２の実施の形態に係るＯＮＵの構成を、図４を用いて説明する。図４は、第２の実施の形態に係るＯＮＵ２００の構成を示すブロック図である。本実施形態のＯＮＵ２００では、インタフェースモジュール２４０が主信号ＩＦ部２４１と、第１のシリアルＩＦ部２４２と、給電ＩＦ部２４４とを有しており、第２のシリアルＩＦ部は有していない。
【００４１】
また、ＯＮＵ２００は、スイッチ回路１７０ａ、１７０ｂに代えて、別のスイッチ回路２７０ａ、２７０ｂを備えている。スイッチ回路２７０ａ、２７０ｂは、第１のシリアルＩＦ部２４２からＯＮＵ機能部１２０の第１のシリアル信号端１２１または電気／光変換部１１０の第２のシリアル信号端１１１のいずれかに切り替えて接続されるように制御される。スイッチ回路２７０ａ、２７０ｂは、それぞれ３つの接点を有しており、各接点に第１のシリアルＩＦ部２４２、第１のシリアル信号端１２１、及び第２のシリアル信号端１１１のそれぞれに接続された各信号線が接続されている。
【００４２】
図４では、スイッチ回路２７０ａの接点２７１ａに第１のシリアルＩＦ部２４２からの信号線２６３ａが接続され、接点２７２ａに第１のシリアル信号端１２１からの信号線２６０ａが接続され、さらに接点２７３ａに第２のシリアル信号端１１１からの信号線２６１ａが接続されている。同様に、スイッチ回路２７０ｂの接点２７１ｂには第１のシリアルＩＦ部２４２からの信号線２６３ｂが接続され、接点２７２ｂには第１のシリアル信号端１２１からの信号線２６０ｂが接続され、さらに接点２７３ｂには第２のシリアル信号端１１１からの信号線２６１ｂが接続されている。
【００４３】
本実施形態では、第１のシリアルＩＦ部２４２に直接またはスイッチ回路２７０ａ、２７０ｂを介して接続される信号線２６３ａ、２６３ｂ、２６０ａ、２６０ｂ、２６１ａ、２６１ｂは、すべてＩ２Ｃで構成されている。スイッチ回路２７０ａ、２７０ｂは、制御用信号を入力するために接地線２６２ｂを分岐して接続しており、接地線２６２ｂに印加されている電圧を制御用信号として、スイッチ回路２７０ａ、２７０ｂの切り替え制御が行われる。
【００４４】
ＯＮＵ２００が外部ノード７０のＭＳＡインタフェーススロットに接続されて運用される通常時は、接地線２６２ｂが外部ノード７０を介して接地される。この場合には、スイッチ回路２７０ａ、２７０ｂは、接点２７１ａと２７３ａ、および接点２７１ｂと２７３ｂのそれぞれを接続する。すなわち、外部ノード７０に接続された通常運用時は、第１のシリアルＩＦ部２４２が電気／光変換部１１０の第２のシリアル信号端１１１に接続されている。
【００４５】
これに対し、図４に示すように、ＯＮＵ２００が製造時や保守時などに用いられる試験用機器１８０に接続されている場合には、試験用機器１８０の加電圧部１８１から接地線２６２ｂに所定の電圧が印加される。スイッチ回路２７０ａ、２７０ｂは、接地線２６２ｂに所定の電圧が印加されていると、接点２７１ａと２７２ａ、および接点２７１ｂと２７２ｂのそれぞれを接続するように切り替わる。その結果、第１のシリアル信号端１２１と第１のシリアルＩＦ部２４２とが接続され、試験用機器のシリアル信号入出力部１８２からＯＮＵ機能部１２０にアクセス可能となる。
【００４６】
本実施形態のＯＮＵ２００でも、第１のシリアルＩＦ部２４２からＯＮＵ機能部１２０の第１のシリアル信号端１２１または電気／光変換部１１０の第２のシリアル信号端１１１のいずれかに切り替えて接続するスイッチ回路２７０ａ、２７０ｂを備える構成とすることにより、製造時や保守時などに用いられる試験用機器１８０に接続された場合のみ、第１のシリアルＩＦ部２４２を介してＯＮＵ機能部１２０にアクセスすることが可能となっている。これにより、、製造時や保守時にＯＮＵ２００の動作情報の読み出しおよび設定を行うことが可能となり、保守等の作業を大幅に効率化できる。
【００４７】
また、外部ノード７０に接続されているときは、スイッチ回路２７０ａ、２７０ｂを切り替えて第１のシリアルＩＦ部２４２を電気／光変換部１１０の第２のシリアル信号端１１１に接続させるようにすることで、ＯＮＵ機能部１２０にアクセスできないようにしてセキュリティを高めている。
【００４８】
本発明の第３の実施の形態に係るＯＮＵの構成を、図５を用いて説明する。図５は、第３の実施の形態に係るＯＮＵ３００の構成を示すブロック図である。本実施形態のＯＮＵ３００でも、インタフェースモジュール３４０が主信号ＩＦ部３４１と、第１のシリアルＩＦ部３４２と、給電ＩＦ部３４４とを有する構成としている。また、本実施形態ではスイッチ回路を用いない構成としている。
【００４９】
図５において、ＯＮＵ機能部１２０と電気／光変換部１１０とがＩ２Ｃバス３６３ａ、３６３ｂに並列に接続されており、第１のシリアルＩＦ部３４２からＯＮＵ機能部１２０の第１のシリアル信号端１２１および電気／光変換部１１０の第２のシリアル信号端１１１へは、Ｉ２Ｃバス３６３ａ、３６３ｂを経由して常に接続された状態に構成されている。
【００５０】
ＯＮＵ機能部１２０は、Ｉ２Ｃバス３６３ａ、３６３ｂを経由して第１のシリアル信号端１２１から第１のシリアルＩＦ部３４２に接続されるとともに、接地線３６２ｂから制御用信号を分岐して入力している。ここでは、ＯＮＵ機能部１２０は、接続線の切替手段を備え、接地線３６２ｂに印加されている電圧を制御用信号としており、接地線３６２ｂに所定の電圧が印加されているか否かによって、第１のシリアルＩＦ部３４２からのアクセスを許可するか否かを判定している。
【００５１】
ＯＮＵ３００が外部ノード７０のＭＳＡインタフェーススロットに接続されて通常に運用される時は、接地線２６２ｂが外部ノード７０を介して接地される。この場合には、接地線３６２ｂに所定の電圧が印加されていないことから、ＯＮＵ機能部１２０は第１のシリアルＩＦ部３４２からのアクセスを許可しない。これに対し、ＯＮＵ３００の製造時や保守時などに用いられる試験用機器に接続されている場合には、試験用機器から接地線３６２ｂに所定の電圧が印加されるように構成されている。ＯＮＵ機能部１２０は、接地線３６２ｂに所定の電圧が印加されていることを検知すると、第１のシリアルＩＦ部３４２からのアクセスを許可する。
【００５２】
このように、ＯＮＵ３００では製造時や保守時などに用いられる試験用機器に接続された場合のみ、第１のシリアルＩＦ部３４２を介してＯＮＵ機能部１２０にアクセスできる構成としており、製造時や保守時にはＯＮＵ３００の動作情報の読み出しおよび設定を行うことが可能となり、保守等の作業を大幅に効率化できる。
【００５３】
また、ＯＮＵ３００が外部ノード７０に接続されているときは、接地線３６２ｂが接地されて所定の電圧が印加されていないことから、ＯＮＵ機能部１２０がこれを検知することで、第１のシリアルＩＦ部３４２からＯＮＵ機能部１２０をアクセスするのを許可しないようにすることができる。これにより、ＯＮＵ機能部が不正にアクセスされるのを防止してセキュリティを高めている。
なお、Ｉ２Ｃバス３６３ａ、３６３ｂに接続された電気／光変換部１１０は、第２のシリアル信号端１１１と第１のシリアルＩＦ部３４２との間で常に信号伝送可能とすることができる。
【００５４】
本実施の形態における記述は、本発明に係る加入者宅側光回線終端装置の一例を示すものであり、これに限定されるものではない。本実施の形態における加入者宅側光回線終端装置の細部構成及び詳細な動作等に関しては、本発明の趣旨を逸脱しない範囲で適宜変更可能である。
【図面の簡単な説明】
【００５５】
【図１】本発明の第１の実施形態に係る加入者宅側光回線終端装置の概略構成を示すブロック図である。
【図２】本実施形態の加入者宅側光回線終端装置が用いられたＰＯＮ型光伝送システムの一例を示す構成図である。
【図３】本実施形態の加入者宅側光回線終端装置が試験用機器に接続された状態を示すブロック図である。
【図４】本発明の第２の実施形態に係る加入者宅側光回線終端装置の概略構成を示すブロック図である。
【図５】本発明の第３の実施形態に係る加入者宅側光回線終端装置の概略構成を示すブロック図である。
【図６】従来の光伝送システムを示す構成図である。
【図７】従来の光伝送システムの加入者宅側光回線終端装置の概略構成を示すブロック図である。
【符号の説明】
【００５６】
１、２    光伝送システム
１０      ＰＯＮインタフェースカード
１１、９０１    ＯＬＴ
１２      認証機能部２０、４０、９０２、９０４    光ファイバ
３０、９０３    光カプラ
５０      ＯＮＵ
７０      外部ノード
８０、９１４    端末機器
１００、２００、３００、９０５    加入者宅側光回線終端装置
１１０    電気／光変換部
１１１    第２のシリアル信号端
１２０，９０７    ＯＮＵ機能部
１２１    第１のシリアル信号端
１３０    シリアル／パラレル変換部
１４０、２４０、３４０    インタフェースモジュール
１４１、２４１、３４１    主信号ＩＦ部
１４２、２４２、３４２    第１のシリアルＩＦ部
１４３    第２のシリアルＩＦ部
１４４、２４４、３４４    給電ＩＦ部
１５０ａ、１５０ｂ    第１のシリアル伝送路
１５１ａ、１５１ｂ    パラレル伝送路
１５２ａ、１５２ｂ    第２のシリアル伝送路
１７０ａ、１７０ｂ、２７０ａ、２７０ｂ    スイッチ回路
１８０    試験用機器
１８１    加電圧部
１８２    シリアル信号入出力部
１９０    処理部
【図１】
0004369972.tif 000002
【図２】
0004369972.tif 000003
【図３】
0004369972.tif 000004
【図４】
0004369972.tif 000005
【図５】
0004369972.tif 000006
【図６】
0004369972.tif 000007
【図７】
0004369972.tif 000008